【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
少なくとも３のリターダを含み、ここに該少なくとも３のリターダが実質的にリターデーションを導入することなく第１のスペクトルの光の光学回転を引き起こす光学フィルタ。
【請求項２】
少なくとも３のリターダが第２のスペクトルの光に対して等方性である請求項１記載のフィルタ。
【請求項３】
さらに、バイアスリターダを含み、ここに該バイアスリターダおよび該少なくとも３のリターダが約半波長のリターデーションを有する請求項２記載のフィルタ。
【請求項４】
フィルタが第１のスペクトルおよび第２のスペクトルにおいてアクロマティック（achromatic）半波長リターダである請求項３記載のフィルタ。
【請求項５】
フィルタが実質的に波長安定な固有偏光を有する請求項３記載のフィルタ。
【請求項６】
光学回転が９０°の光学回転である請求項１記載のフィルタ。
【請求項７】
少なくとも３のリターダの光学回転が第１のスペクトルにおいてアクロマティックである請求項１記載のフィルタ。
【請求項８】
少なくとも３のリターダが実質的に波長安定な固有偏光を有する請求項１記載のフィルタ。
【請求項９】
さらに、少なくとも３のリターダとの光学連続中に第１のビームスプリッタを含む請求項１記載のフィルタ。
【請求項１０】
第１のビームスプリッタが偏光ビームスプリッタである請求項９記載のフィルタ。
【請求項１１】
第１のビームスプリッタがダイクロイックビームスプリッタである請求項９記載のフィルタ。
【請求項１２】
第１のビームスプリッタが部分的に金属被覆されたミラービームスプリッタである請求項９記載のフィルタ。
【請求項１３】
さらに、少なくとも３のリターダおよび第１のビームスプリッタとの光学連続中に第２のビームスプリッタを含む請求項９記載のフィルタ。
【請求項１４】
さらに、第１のビームスプリッタおよび第２のビームスプリッタを含み、
ここに少なくとも３のリターダが第１のビームスプリッタと第２のビームスプリッタとの間に存在し；および
ここに第１のビームスプリッタのスキュー光光線偏光効果が少なくとも３のリターダおよび第２のビームスプリッタのスキュー光光線偏光効果によって補われる請求項１記載のフィルタ。
【請求項１５】
第１のビームスプリッタおよび第２のビームスプリッタが共通の垂直ベクトルを有する請求項１４記載のフィルタ。
【請求項１６】
さらに、少なくとも３のリターダがバイアスリターダを含んで、少なくとも３のリターダのリターデーションが実質的にリターデーションを有しないようにする請求項１記載のフィルタ。
【請求項１７】
少なくとも３のリターダを含み、ここに少なくとも３のリターダが第１のスペクトルの光に対して半波長板として作用し；および
ここに少なくとも３のリターダが第２のスペクトルの光に対してπ／４ずれた光学軸を有する半波長板として作用する光学フィルタ。
【請求項１８】
少なくとも３のリターダが第１のスペクトルにおいては０Ｅの方向および第２のスペクトルにおいては４５Ｅの方向を有する半波長板として作用する請求項１７記載の光学フィルタ。
【請求項１９】
少なくとも３のリターダが第１のスペクトルおよび第２のスペクトルの少なくとも１において波長安定な半波長リターデーションおよび波長安定な固有偏光を有する請求項１７記載のフィルタ。
【請求項２０】
少なくとも３のリターダが第１のスペクトルおよび第２のスペクトルにおいてアクロマティックである請求項１７記載のフィルタ。
【請求項２１】
さらに、少なくとも３のリターダとの光学連続中に第１のビームスプリッタを含むを請求項１７記載のフィルタ。
【請求項２２】
第１のビームスプリッタが偏光ビームスプリッタである請求項２１記載のフィルタ。
【請求項２３】
第１のビームスプリッタがダイクロイックビームスプリッタである請求項２１記載のフィルタ。
【請求項２４】
第１のビームスプリッタが部分的に金属被覆されたミラービームスプリッタである請求項２１記載のフィルタ。
【請求項２５】
さらに、少なくとも３のリターダおよび第１のビームスプリッタとの光学連続中に第２のビームスプリッタを含む請求項２１記載のフィルタ。
【請求項２６】
第１のビームスプリッタおよび第２のビームスプリッタが直交垂直ベクトルを有する請求項２５記載のフィルタ。
【請求項２７】
さらに、第１のビームスプリッタおよび第２のビームスプリッタを含み、
ここに少なくとも３のリターダが第１のビームスプリッタと第２のビームスプリッタとの間に存在し；および
ここに第１のビームスプリッタのスキュー光光線偏光効果が少なくとも３のリターダおよび第２のビームスプリッタのスキュー光光線偏光効果によって補われる請求項１７記載のフィルタ。
【請求項２８】
さらに、カラープロジェクションシステムを含む請求項１７記載のフィルタ。
【請求項２９】
少なくとも３のリターダが面外単軸コンペンセータである請求項１７記載のフィルタ。
【請求項３０】
少なくとも３のリターダが約２６.０°ないし２６.５°の光学軸θを有する請求項２９記載のフィルタ。
【請求項３１】
少なくとも３のリターダが、少なくとも３のリターダの設計軸の方向に沿った実質的に波長安定な固有偏光を有する請求項１７記載のフィルタ。
【請求項３２】
リターデーションを導入することなく第１のスペクトルの光を光学的に回転させる工程を含む光学フィルタリング方法。
【請求項３３】
光学的に回転することを３またはそれを超えるリターダによって行う請求項３２記載の方法。
【請求項３４】
３またはそれを超えるリターダが第１のスペクトルにおいてアクロマティックである請求項３３記載の方法。
【請求項３５】
３またはそれを超えるリターダが実質的に波長安定な固有偏光を有する請求項３３記載の方法。
【請求項３６】
さらに、光を２の異なる光路に分離することを含む請求項３２記載の方法。
【請求項３７】
分離することを偏光に従う請求項３６記載の方法。
【請求項３８】
分離することを光波長に従う請求項３６記載の方法。
【請求項３９】
さらに、光の２の異なる光路への第１の分離；
光の２の異なる光路への第２の分離を含み、ここに光学回転が、光学回転がスキュー光線方向から実質的に独立するように、第１の分離の後であるが第２の分離の前に生じる請求項３２記載の方法。
【請求項４０】
さらに、変化しなかった第２のスペクトルの光を伝達することを含む請求項３２記載の方法。
【請求項４１】
光学回転が９０°光学回転である請求項３２記載の方法。
【請求項４２】
第１のスペクトルの光を遅らせ；ついで
第２のスペクトルの光を遅らせる工程を含み、
ここに半波長のリターデーションが第１のスペクトルの遅れる光によって提供され；および
ここにπ／４ずれた光学軸を有する半波長板に等価なリターデーションが第２のスペクトルの遅れる光によって提供される光学フィルタ方法。
【請求項４３】
第１のスペクトルの遅れる光および第２のスペクトルの遅れる光がアクロマティックである請求項４２記載の方法。
【請求項４４】
さらに、光を２の異なる光路に分離することを含む請求項４２記載の方法。
【請求項４５】
分離することを偏光に従う請求項４４記載の方法。
【請求項４６】
分離することを光の波長に従う請求項４４記載の方法。
【請求項４７】
さらに、光の第１の光路および第２の光路への第１の分離；
光の第３の光路および第４の光路への第２の分離を含み、
ここに第２の分離のスキュー光光線偏光効果と合致するように光学リターデーションによって第１の分離のスキュー光光線偏光効果が補償されるように、第１の分離の後であるが第２の分離の前に光学リターデーションが生じる請求項４２記載の方法。
【請求項４８】
第１の光路および第３の光路が平行であり；および
第２の光路および第４の光路が逆平行である請求項４７記載の方法。
【請求項４９】
第１のスペクトルの遅れる光および第２のスペクトルの遅れる光が実質的に波長安定な固有偏光を有する請求項４２記載の方法。
【請求項５０】
半波長板；および
互いに直交に方向付けられた一対のビームスプリッタを含み、該一対のビームスプリッタが半波長板をサンドイッチしている光学配置。
【請求項５１】
一対のビームスプリッタが一対の偏光ビームスプリッタである請求項５０記載の配置。
【請求項５２】
第１の光光線を分割して第２の光光線を形成し；
第２の光光線を半波長のリターデーションでもって遅らせて第３の光光線を形成し；ついで
第３の光光線を分割する工程を含む光をフィルタする方法。
【請求項５３】
第１の光光線を分割することおよび第２の光光線を分割することが偏光分割である請求項５２記載の方法。
【請求項５４】
平面偏光子；
ビームスプリッタ；および
該平面偏光子とビームスプリッタとの間の面外リターダを含む光学配置。
【請求項５５】
面外リターダが色選択的偏光フィルタである請求項５４記載の配置。
【請求項５６】
平面偏光子が面外リターダの光学軸を含む面に対して平行または垂直の伝達軸を有する請求項５４記載の配置。
【請求項５７】
ビームスプリッタが偏光ビームスプリッタである請求項５４記載の配置。
【請求項５８】
入射光光線を偏光させて偏光光光線を形成し；
偏光光光線を面外リターダで遅らせて遅れた光光線を形成し；ついで
遅れた光光線を分割する工程を含む光をフィルタする方法。
【請求項５９】
面外リターダが色選択的偏光フィルタである請求項５８記載の方法。
【請求項６０】
第１のスペクトルの光を変調する第１の反射パネル；
第２のスペクトルの光を変調する第２の反射パネル；
第３のスペクトルの光を変調する第３の反射パネル；および
少なくとも４の偏光ビーム分割エレメントを含み、
ここに第１および第２のスペクトルの光が第３のスペクトルの光よりも少なくとも４の偏光ビーム分割エレメントにより多く通って伝達され、
ここにスループットが存在せず、偏光ビーム分割エレメントを通る伝達または反射と関連する損失が排除された場合に、第３のスペクトルの光の光源強度またはスループット効率が第１または第２のスペクトルの光源強度またはスループット効率よりも低いカラーマネージメント・アーキテクチャー。
【請求項６１】
少なくとも４の偏光ビーム分割エレメントから出力された光が出力アナライザーに入射しない請求項６０記載のアーキテクチャー。
【請求項６２】
第１の反射パネルで光の第１のスペクトルを変調し；
第２の反射パネルで光の第２のスペクトルを変調し；ついで
第３の反射パネルで光の第３のスペクトルを変調することを含み、
ここに第１および第２のスペクトルの光は第３のスペクトルの光よりも少なくとも４の偏光ビーム分割エレメントにより多く通って伝達され、および
ここにスループットが存在せず、偏光ビーム分割エレメントを通る伝達または反射と関連する損失が排除された場合に、第３のスペクトルの光のスループット効率が第１または第２のスペクトルの光のスループット効率よりも低いカラーマネージメントシステムを提供する方法。
【請求項６３】
光の第１のスペクトルを変調する第１の反射パネル；
第１の偏光ビーム分割エレメントに近接する、光の第２のスペクトルを変調する第２の反射パネル；
第２の偏光ビーム分割エレメントに近接する、光の第３のスペクトルを変調する第３の反射パネル；および
クロマティック偏光ビーム分割エレメントを含み、
ここに第１および第２の偏光ビーム分割エレメントが第１の偏光の光を反射し、第１の偏光に直交する光を伝達し；および
ここにクロマティック偏光ビーム分割エレメントが第１のスペクトルの第１の偏光の光を伝達し、第１の偏光に直交する光を反射するカラーマネージメント・アーキテクチャー。
【請求項６４】
さらに、クロマティック偏光ビーム分割エレメントの間の偏光回転エレメントの不存在を含む請求項６３記載のアーキテクチャー。
【請求項６５】
第１の偏光ビーム分割エレメント、偏光ビーム分割エレメントおよびクロマティック偏光ビーム分割エレメントが互いに直交に方向付けられた反射表面を有する請求項６３記載のアーキテクチャー。
【請求項６６】
入力偏光ビームスプリッタ；
入力偏光ビームスプリッタからの第１のスペクトル、第２のスペクトルおよび第３のスペクトルの光を含む光を受けるダイクロイックビームスプリッタ；
ダイクロイックビームスプリッタからの第１のスペクトルを含む光を受ける第１の偏光ビームスプリッタ；
ダイクロイックビームスプリッタからの第２のスペクトルおよび第３のスペクトルを含む光を受ける第２の偏光ビームスプリッタ；
ダイクロイックビームスプリッタからの第２のスペクトルおよび第３のスペクトルを含む光を受ける第３の偏光ビームスプリッタ；
第１の偏光ビームスプリッタに近接する、第１のスペクトルの光を変調する第１のパネル；
第２の偏光ビームスプリッタに近接する、第２のスペクトルの光を変調する第２のパネル；および
第２の偏光ビームスプリッタに近接する、第３のスペクトルの光を変調する第３のパネルを含み、
ここにダイクロイックビームスプリッタの反射表面が入力偏光ビームスプリッタの反射表面に対して光学的に平行であるディスプレイ・アーキテクチャー。
【請求項６７】
さらに、黄色／ニュートラルフィルタ、ダイクロイックビームスプリッタと黄色／ニュートラルフィルタとの間に光学的にサンドイッチされた入力偏光ビームスプリッタを含む請求項６６記載のアーキテクチャー。
【請求項６８】
さらに、ダイクロイックビームスプリッタと第１の偏光ビームスプリッタとの光学的に間の第１のスペクトルの光を伝達する第１のダイクロイックフィルタ；および
ダイクロイックビームスプリッタと第２の偏光ビームスプリッタとの光学的に間の第２のスペクトルおよび第３のスペクトルの光を伝達する第２のダイクロイックフィルタを含む請求項６６記載のアーキテクチャー。
【請求項６９】
さらに、ダイクロイックビームスプリッタとダイクロイックビームスプリッタとの光学的に間の第１の無機λ／２板；および
第１の偏光ビームスプリッタと第３の偏光ビームスプリッタとの光学的に間の第２の無機λ／２板を含む請求項６６記載のアーキテクチャー。
【請求項７０】
第１の無機板および第２の無機板がクウォーツからなる請求項６９記載のアーキテクチャー。
【請求項７１】
さらに、光の第２のスペクトルを回転するが、光の第３のスペクトルは実質的に回転しない第１の偏光回転フィルタ；および
光の第３のスペクトルを回転するが、光の第２のスペクトルは実質的に回転しない第２の偏光回転フィルタを含む請求項６８記載のアーキテクチャー。
【請求項７２】
第１の偏光回転フィルタおよび第２の偏光回転フィルタがリターダスタックである請求項６９記載のアーキテクチャー。
【請求項７３】
入力偏光ビームスプリッタ；
入力偏光ビームスプリッタからの第１のスペクトル、第２のスペクトルおよび第３のスペクトルの光を含む光を受けるダイクロイックビームスプリッタ；
ダイクロイックビームスプリッタからの第１のスペクトルを含む光を受ける第１の偏光ビームスプリッタ；
ダイクロイックビームスプリッタからの第２のスペクトルおよび第３のスペクトルを含む光を受ける第２の偏光ビームスプリッタ；
ダイクロイックビームスプリッタからの第２のスペクトルおよび第３のスペクトルを含む光を受ける第３の偏光ビームスプリッタ；
第１の偏光ビームスプリッタに近接する、第１のスペクトルの光を変調する第１のパネル；
第２の偏光ビームスプリッタに近接する、第２のスペクトルの光を変調する第２のパネル；
第２の偏光ビームスプリッタに近接する、第３のスペクトルの光を変調する第３のパネル；
ダイクロイックビームスプリッタと第１の偏光ビームスプリッタとの光学的に間の第１のスペクトルの光を伝達する第１のダイクロイックフィルタ；
ダイクロイックビームスプリッタと第２の偏光ビームスプリッタとの光学的に間の第２のスペクトルおよび第３のスペクトルの光を伝達する第２のダイクロイックフィルタ；
ダイクロイックビームスプリッタとダイクロイックビームスプリッタとの光学的に間の第１の無機λ／２板；
第１の偏光ビームスプリッタと第３の偏光ビームスプリッタとの光学的に間の第２の無機λ／２板；
光の第２のスペクトルを回転するが、光の第３のスペクトルは実質的に回転しない第１の偏光回転フィルタ；および
光の第３のスペクトルを回転するが、光の第２のスペクトルは実質的に回転しない第２の偏光回転フィルタを含み、
ここにダイクロイックビームスプリッタの反射表面が入力偏光ビームスプリッタの反射表面に対して光学的に平行であるディスプレイ・アーキテクチャー。
【請求項７４】
さらに、黄色／ニュートラルフィルタを含み、入力偏光ビームスプリッタがダイクロイックビームスプリッタおよび黄色／ニュートラルフィルタの間に光学的にサンドイッチされる請求項７３記載のアーキテクチャー。
【請求項７５】
ｏ−板の光学的に前の入力ワイヤーグリッド偏光子；
入力ワイヤーグリッド偏光子およびｏ−板からの第１のスペクトル、第２のスペクトルおよび第３のスペクトルの光を含む光を受けるダイクロイックビームスプリッタ；
ダイクロイックビームスプリッタからの第１のスペクトルを含む光を受ける第１の偏光ビームスプリッタ；
ダイクロイックビームスプリッタからの第２のスペクトルおよび第３のスペクトルを含む光を受ける第２の偏光ビームスプリッタ；
ダイクロイックビームスプリッタからの第２のスペクトルおよび第３のスペクトルを含む光を受ける第３の偏光ビームスプリッタ；
第１の偏光ビームスプリッタに近接する、第１のスペクトルの光を変調する第１のパネル；
第２の偏光ビームスプリッタに近接する、第２のスペクトルの光を変調する第２のパネル；
第２の偏光ビームスプリッタに近接する、第３のスペクトルの光を変調する第３のパネル；
ダイクロイックビームスプリッタと第１の偏光ビームスプリッタとの光学的に間の第１のスペクトルの光を伝達する第１のダイクロイックフィルタ；
ダイクロイックビームスプリッタと第２の偏光ビームスプリッタとの光学的に間の第２のスペクトルおよび第３のスペクトルの光を伝達する第２のダイクロイックフィルタ；
ダイクロイックビームスプリッタとダイクロイックビームスプリッタとの光学的に間の第１の無機λ／２板；
第１の偏光ビームスプリッタと第３の偏光ビームスプリッタとの光学的に間の第２の無機λ／２板；
光の第２のスペクトルを回転するが、光の第３のスペクトルは実質的に回転しない第１の偏光回転フィルタ；および
光の第３のスペクトルを回転するが、光の第２のスペクトルは実質的に回転しない第２の偏光回転フィルタ
を含むディスプレイ・アーキテクチャー。
【請求項７６】
入力偏光ビームスプリッタで光を偏光し；
入力偏光ビームスプリッタから受けた光を、入力偏光ビームスプリッタの反射表面に対して光学的に平行な反射表面を有するダイクロイックビームスプリッタで第１の部分および第２の部分に分割し；
光の第１の部分を第１の偏光ビームスプリッタで第１のパネルに方向付け、ここに第１のパネルは光の第１の部分を変調および反射し；
光の第２の部分を第２の偏光ビームスプリッタで光の第３の部分および光の第４の部分に分割し、光の第３の部分は第２のパネルに方向付けられ、光の第４の部分は第３のパネルに方向付けられ、第２のパネルは光の第３の部分を変調および反射し、第３のパネルは光の第４の部分を変調および反射し；
光の変調および反射された第３および部分を第２の偏光ビームスプリッタで結合して光の第５の部分を形成し；ついで
光の変調および反射された第１の部分を第３の偏光ビームスプリッタで光の第５の部分と結合する
ことを含む光を投射する方法。